(57)【要約】【課題】適応的送信時間間隔(TTI)のためのシステムおよび方法を提供する。【解決手段】一実施形態において、適応的送信時間間隔(TTI)のための方法は、通信コントローラにより、第１のTDD間隔の第１のTDD TTI構成および第１のTDD間隔の第２のTDD TTI構成のセグメントをユーザ装置(UE)に送信するステップであって、第１のTDD TTI構成は第１のパターンを有し、第２のTDD TTI構成は第２のパターンを有し、第１のパターンは第２のパターンとは異なり、第１のTDD TTI構成は第１のアップリンクTTIセグメントおよび第１のダウンリンクTTIセグメントを有する、ステップを含む。方法は、第１のTDD間隔の第１のTDD TTI構成の第１のダウンリンクTTIセグメント内の第１のTTIにおいて第１の複数のデータを送信し、第１のTDD間隔の第１のTDD TTI構成の第１のアップリンクセグメントにおいて第２の複数のデータを受信するステップも含む。【選択図】図６
2020043585.tif 000002
【特許請求の範囲】
【請求項１】
装置により、フィードバックスロット構成を含む第１のより高いレイヤのシグナリングを受信するステップであって、前記フィードバックスロット構成は、構成可能なハイブリッド自動再送要求(HARQ)フィードバック遅延を明示的に示す、ステップと、
前記装置により、前記フィードバックスロット構成に従ってHARQ ACK/NACKを送信するステップと、
を含む方法。
【請求項２】
前記構成可能なHARQフィードバック遅延は、複数のフィードバックスロットによって提供される、請求項１に記載の方法。
【請求項３】
前記装置により、第１のキャリア内の第１の時分割複信(TDD)アップリンクおよびダウンリンクのパターンを示す第２のより高いレイヤのシグナリングを受信するステップ
をさらに含む、請求項１に記載の方法。
【請求項４】
前記第１のTDDアップリンクおよびダウンリンクのパターンは、第２のキャリア内の第２のTDDアップリンクおよびダウンリンクのパターンとは異なる、請求項３に記載の方法。
【請求項５】
前記第１のキャリアは、第１の周波数区分および第２の周波数区分を含み、前記方法は、
前記装置により、前記第１の周波数区分内で、前記第１のTDDアップリンクおよびダウンリンクのパターンに基づいて第１の信号を送信または受信するステップと、
前記装置により、前記第２の周波数区分内で、前記第１のTDDアップリンクおよびダウンリンクのパターンに基づいて第２の信号を送信または受信するステップと、
をさらに含む、請求項３に記載の方法。
【請求項６】
装置であって、
命令を含む非一時的メモリ記憶と、
前記非一時的メモリ記憶と通信する１つ以上のプロセッサと、
を含み、前記１つ以上のプロセッサは、
フィードバックスロット構成を含む第１のより高いレイヤのシグナリングを受信するための命令であって、前記フィードバックスロット構成は、構成可能なハイブリッド自動再送要求(HARQ)フィードバック遅延を明示的に示す、命令と、
前記フィードバックスロット構成に従ってHARQ ACK/NACKを送信するための命令と、
を実行する、装置。
【請求項７】
前記構成可能なHARQフィードバック遅延は、複数のフィードバックスロットによって提供される、請求項６に記載の装置。
【請求項８】
前記非一時的メモリ記憶は、
第１のキャリア内の第１の時分割複信(TDD)アップリンクおよびダウンリンクのパターンを示す第２のより高いレイヤのシグナリングを受信するための命令
をさらに含む、請求項６に記載の装置。
【請求項９】
前記第１のTDDアップリンクおよびダウンリンクのパターンは、第２のキャリア内の第２のTDDアップリンクおよびダウンリンクのパターンとは異なる、請求項８に記載の装置。
【請求項１０】
前記第１のキャリアは、第１の周波数区分および第２の周波数区分を含み、前記非一時的メモリ記憶は、
前記第１の周波数区分内で、前記第１のTDDアップリンクおよびダウンリンクのパターンに基づいて第１の信号を送信または受信するための命令と、
前記第２の周波数区分内で、前記第１のTDDアップリンクおよびダウンリンクのパターンに基づいて第２の信号を送信または受信するための命令と、
をさらに含む、請求項８に記載の装置。
【請求項１１】
ネットワークデバイスにより、フィードバックスロット構成を含む第１のより高いレイヤのシグナリングを送信するステップであって、前記フィードバックスロット構成は、構成可能なハイブリッド自動再送要求(HARQ)フィードバック遅延を明示的に示す、ステップと、
前記ネットワークデバイスにより、前記フィードバックスロット構成に従ってHARQ ACK/NACKを受信するステップと、
を含む方法。
【請求項１２】
前記構成可能なHARQフィードバック遅延は、複数のフィードバックスロットによって提供される、請求項１１に記載の方法。
【請求項１３】
前記ネットワークデバイスにより、第１のキャリア内の第１の時分割複信(TDD)アップリンクおよびダウンリンクのパターンを示す第２のより高いレイヤのシグナリングを送信するステップ
をさらに含む、請求項１１に記載の方法。
【請求項１４】
前記第１のTDDアップリンクおよびダウンリンクのパターンは、第２のキャリア内の第２のTDDアップリンクおよびダウンリンクのパターンとは異なる、請求項１３に記載の方法。
【請求項１５】
前記第１のキャリアは、第１の周波数区分および第２の周波数区分を含み、前記方法は、
前記ネットワークデバイスにより、前記第１の周波数区分内で、前記第１のTDDアップリンクおよびダウンリンクのパターンに基づいて第１の信号を送信または受信するステップと、
前記ネットワークデバイスにより、前記第２の周波数区分内で、前記第１のTDDアップリンクおよびダウンリンクのパターンに基づいて第２の信号を送信または受信するステップと、
をさらに含む、請求項１３に記載の方法。
【請求項１６】
ネットワークデバイスであって、
命令を含む非一時的メモリ記憶と、
前記非一時的メモリ記憶と通信する１つ以上のプロセッサと、
を含み、前記１つ以上のプロセッサは、
フィードバックスロット構成を含む第１のより高いレイヤのシグナリングを送信するための命令であって、前記フィードバックスロット構成は、構成可能なハイブリッド自動再送要求(HARQ)フィードバック遅延を明示的に示す、命令と、
前記フィードバックスロット構成に従ってHARQ ACK/NACKを受信するための命令と、
を実行する、ネットワークデバイス。
【請求項１７】
前記構成可能なHARQフィードバック遅延は、複数のフィードバックスロットによって提供される、請求項１６に記載のネットワークデバイス。
【請求項１８】
前記非一時的メモリ記憶は、
第１のキャリア内の第１の時分割複信(TDD)アップリンクおよびダウンリンクのパターンを示す第２のより高いレイヤのシグナリングを送信するための命令
をさらに含む、請求項１６に記載のネットワークデバイス。
【請求項１９】
前記第１のTDDアップリンクおよびダウンリンクのパターンは、第２のキャリア内の第２のTDDアップリンクおよびダウンリンクのパターンとは異なる、請求項１８に記載のネットワークデバイス。
【請求項２０】
前記第１のキャリアは、第１の周波数区分および第２の周波数区分を含み、前記非一時的メモリ記憶は、
前記第１の周波数区分内で、前記第１のTDDアップリンクおよびダウンリンクのパターンに基づいて第１の信号を送信または受信するための命令と、
前記第２の周波数区分内で、前記第１のTDDアップリンクおよびダウンリンクのパターンに基づいて第２の信号を送信または受信するための命令と、
をさらに含む、請求項１８に記載のネットワークデバイス。
【請求項２１】
ネットワークシステムであって、
バックホールネットワークにおいて基地局とデータを通信する構成要素と、
前記基地局と、
を含み、前記基地局は、
フィードバックスロット構成を含む第１のより高いレイヤのシグナリングをユーザ装置(UE)に送信するように構成され、前記フィードバックスロット構成は、構成可能なハイブリッド自動再送要求(HARQ)フィードバック遅延を明示的に示し、
前記基地局は、前記フィードバックスロット構成に従ってHARQ ACK/NACKを受信するように構成された、ネットワークシステム。
【請求項２２】
前記構成可能なHARQフィードバック遅延は、複数のフィードバックスロットによって提供される、請求項２１に記載のネットワークシステム。
【請求項２３】
前記基地局は、
第１のキャリア内の第１の時分割複信(TDD)アップリンクおよびダウンリンクのパターンを示す第２のより高いレイヤのシグナリングを送信する
ようにさらに構成された、請求項２１に記載のネットワークシステム。
【請求項２４】
前記第１のTDDアップリンクおよびダウンリンクのパターンは、第２のキャリアの第２のTDDアップリンクおよびダウンリンクのパターンとは異なる、請求項２３に記載のネットワークシステム。
【請求項２５】
前記第１のキャリアは、第１の周波数区分および第２の周波数区分を含み、前記ネットワークシステムは、
前記第１の周波数区分内で、前記第１のTDDアップリンクおよびダウンリンクのパターンに基づいて第１の信号を送信または受信し、
前記第２の周波数区分内で、前記第１のTDDアップリンクおよびダウンリンクのパターンに基づいて第２の信号を送信または受信する
ようにさらに構成された、請求項２３に記載のネットワークシステム。
【発明の詳細な説明】
【技術分野】
【０００１】
本出願は、2015年2月24日に出願され、発明の名称を「System and Method for Transmission Time Intervals」とする米国非仮出願第14/630253号の利益を主張し、その出願はこれによって参照によりここに組み込まれる。
【０００２】
本発明は、無線通信のためのシステムおよび方法、詳細には、送信時間間隔のためのシステムおよび方法に関する。
【背景技術】
【０００３】
現代の無線ネットワークは、全体のネットワークおよびチャネルのスループット要件とともに、異なる待ち時間要件を有する多様なトラフィックタイプ(例えば、音声、データ、等)の通信をサポートする。固定された長さを有する送信時間間隔(transmission time interval (TTI))は、異なる待ち時間要件を有する多様なトラフィック特性のために柔軟ではない。
【０００４】
ロング・ターム・エボリューション(long term evolution (LTE))時分割複信(time division duplex (TDD))において、ハイブリッド自動再送要求(hybrid automatic repeat request (HARQ))フィードバック遅延は、ダウンリンク(downlink (DL))/アップリンク(uplink (UL))構成に依存して、可変である。DL/UL構成は、10個のTTIを含み得る無線フレームにわたるULおよびDL TTIの予め定義されたパターンであり得る。DL/UL構成は、あるDL:ULトラフィック比を提供する。DLおよびUL TTIの配置に基づいて、DLデータ送信は、処理遅延を考慮した後、次の利用可能なUL TTIにおいて肯定応答され得る。ULデータ送信について類似の状況が発生する。従って、HARQフィードバック遅延は固定されない。また、処理遅延のために、フィードバックは、FDDシステムにおける固定された遅延より長いことがある。
【０００５】
ワールドワイド・インターオペラビリティ・フォー・マイクロウェーブ・アクセス(Worldwide Interoperability for Microwave Access (WiMAX))TDDにおいて、すべてのTDDフレーム(LTEにおけるTTIを参照せよ)は、ダウンリンク・サブフレームおよびアップリンク・サブフレームを含む。TDDフレームの持続時間は固定されている。WiMAX TDDフレーム構造の持続時間は固定されたHARQフィードバック遅延を提供するが、フレーム内のDLおよびULサブフレームの存在はオーバーヘッドを表わす。異なるトラフィック特性に基づく異なる待ち時間および動的なシグナリングオーバーヘッドを受け入れるための柔軟性を有することが望ましい。
【発明の概要】
【課題を解決するための手段】
【０００６】
適応的送信時間間隔(TTI)のための実施形態の方法は、通信コントローラにより、第１のTDD間隔の第１のTDD TTI構成および第１のTDD間隔の第２のTDD TTI構成のセグメントをユーザ装置(UE)に送信するステップであって、第１のTDD TTI構成は第１のパターンを有し、第２のTDD TTI構成は第２のパターンを有し、第１のパターンは第２のパターンとは異なり、第１のTDD TTI構成は第１のアップリンクTTIセグメントおよび第１のダウンリンクTTIセグメントを有し、第２のTDD TTI構成は第２のアップリンクTTIセグメントおよび第２のダウンリンクTTIセグメントを有し、第１のダウンリンクTTIセグメントは第１のTTIサイズを有し、第１のアップリンクTTIセグメントは第２のTTIサイズを有する、ステップを含む。方法は、また、通信コントローラにより、第１のTDD間隔の第１のTDD TTI構成の第１のダウンリンクTTIセグメント内の第１のTTIにおいて第１の複数のデータをUEに送信し、通信コントローラにより、第１のTDD間隔の第１のTDD TTI構成の第１のアップリンクセグメントにおいて第２の複数のデータをUEから受信するステップを含む。
【０００７】
適応的送信時間間隔(TTI)のための実施形態の方法は、ユーザ装置(UE)により、第１のTDD間隔のための第１のTDD TTI構成を通信コントローラから受信するステップであって、第１のTDD間隔は、第１のアップリンクセグメント、第１のダウンリンクセグメント、および第１のTTIを含み、第１のダウンリンクセグメントは第１のTTIサイズおよび第２のTTIサイズを有し、第１のTTIサイズは第２のTTIサイズに等しくない、ステップを含む。方法は、UEにより、第１のアップリンクセグメントにおいて第１の複数のデータを通信コントローラに送信し、UEにより、第１のダウンリンクセグメントの第１のTTIにおいて第２の複数のデータを通信コントローラから受信するステップも含む。
【０００８】
実施形態の通信コントローラは、プロセッサおよびプロセッサによる実行のためのプログラミングを記憶する非一時的コンピュータ読み取り可能な記憶媒体を含む。プログラミングは、第１のTDD間隔の第１のTDD TTI構成および第１のTDD間隔の第２のTDD TTI構成のセグメントをユーザ装置(UE)に送信するための命令を含み、第１のTDD TTI構成は第１のパターンを有し、第２のTDD TTI構成は第２のパターンを有し、第１のパターンは第２のパターンとは異なり、第１のTDD TTI構成は第１のアップリンクTTIセグメントおよび第１のダウンリンクTTIセグメントを有し、第２のTDD TTI構成は第２のアップリンクTTIセグメントおよび第２のダウンリンクTTIセグメントを有し、第１のダウンリンクTTIセグメントは第１のTTIサイズを有し、第１のアップリンクTTIセグメントは第２のTTIサイズを有する。プログラミングは、第１のTDD間隔の第１のTDD TTI構成の第１のダウンリンクTTIセグメント内の第１のTTIにおいて第１の複数のデータをUEに送信し、通信コントローラにより、第１のTDD間隔の第１のTDD TTI構成の第１のアップリンクセグメントにおいて第２の複数のデータをUEから受信するための命令も含む。
【０００９】
実施形態のユーザ装置(UE)は、プロセッサおよびプロセッサによる実行のためのプログラミングを記憶する非一時的コンピュータ読み取り可能な記憶媒体を含む。プログラミングは、第１のTDD間隔のための第１のTDD TTI構成を通信コントローラから受信するための命令を含み、第１のTDD間隔は、第１のアップリンクセグメント、第１のダウンリンクセグメント、および第１のTTIを含み、第１のダウンリンクセグメントは第１のTTIサイズおよび第２のTTIサイズを有し、第１のTTIサイズは第２のTTIサイズに等しくない。プログラミングは、UEにより、第１のアップリンクセグメントにおいて第１の複数のデータを通信コントローラに送信し、UEにより、第１のダウンリンクセグメントの第１のTTIにおいて第２の複数のデータを通信コントローラから受信するための命令も含む。
【００１０】
上記は、続く発明の詳細な説明がより良く理解され得るように、本発明の実施形態の特徴をやや幅広く概説した。発明の実施形態の追加の特徴および利点が以下に記載されることになり、それらは発明の請求項の主題を形成する。開示される着想および特定の実施形態が、本発明の同じ目的を実施するための他の構造またはプロセスを修正または設計するための基礎として容易に利用され得ることは、この技術分野の当業者によって認識されるべきである。そのような等価な構造は、添付の請求項に記載されたような発明の思想および範囲から逸脱しないことも、この技術分野の当業者によって認識されるべきである。
【００１１】
本発明、およびその利点のより完全な理解のために、添付図面に関してなされる続く記載への参照がここで行われる。
【図面の簡単な説明】
【００１２】
【図１】データを伝達するための無線ネットワークの図を例示する。
【図２】ダウンリンクフレームのための送信時間間隔(TTI)分割を例示する。
【図３】アップリンクフレームのためのTTI分割を例示する。
【図４】帯域内キャリアおよび帯域間キャリアを例示する。
【図５】クロスキャリア干渉を有する実施形態のシステムを例示する。
【図６】異なるキャリアにおける同じ時分割複信(TDD)構成の適用を例示する。
【図７】異なるキャリアにおける異なるTDD構成の適用を例示する。
【図８】１つの方向におけるTTIの長さが、他の方向におけるTTIおよびフィードバックスロットの時間を含むTTI分割を例示する。
【図９】１つの方向におけるTTIの長さが、他の方向におけるTTIおよびフィードバックスロットの時間を除くTTI分割を例示する。
【図１０】通信コントローラによって行われる適応的TTIの実施形態の方法のフローチャートを例示する。
【図１１】通信コントローラによって行われる適応的TTIの他の実施形態の方法のフローチャートを例示する。
【図１１ｂ】UEを構成するシグナリングの実施形態の方法を例示する。
【図１１ｃ】UEを構成するシグナリングの他の実施形態の方法を例示する。
【図１２】TTIの長さを選択する実施形態の方法を例示する。
【図１３】ユーザ装置(UE)によって行われる適応的TTIの実施形態の方法のフローチャートを例示する。
【図１４】実施形態の汎用コンピュータシステムのブロック図を例示する。
【００１３】
異なる図面における対応する数字および記号は、異なって示されるのでなければ、一般に、対応する部分を指す。図面は、実施形態の関係する態様を明確に例示するために描かれ、必ずしも縮尺で製図するために描かれていない。
【発明を実施するための形態】
【００１４】
１つ以上の実施形態の例示的な実装が以下で提供されるが、開示されるシステムおよび／または方法は、現在知られていようと、存在していようと、いずれかの数の技術を使用して実装され得ることが最初に理解されるべきである。開示は、いかなる場合も、ここに例示され記載される模範的な設計および実装を含む、以下で例示される例示的な実装、図面、および技術に限定されるべきでないが、等価物のそれらの十分な範囲とともに添付の請求項の範囲内で修正され得る。
【００１５】
実例の無線ネットワークは、時分割複信(TDD)のために固定された長さの送信時間間隔(TTI)(または「サブフレーム」)を使用する。例えば、第３世代パートナーシッププロジェクト(third generation partnership project (3GPP))ロング・ターム・エボリューション(LTE)の下で動作するネットワークは、１ミリ秒のTTIを使用する。TTIの長さは、ネットワークの待ち時間性能およびスループット性能に影響する。具体的には、より短い伝送コンテナは、より高い頻度の送信機会を提供することによって、より優れた待ち時間性能を達成し、一方、より長いTTIは、シグナリングオーバーヘッドを減少させることによって、より優れたスループット性能を達成する。
【００１６】
適応的TTIは、異なるトラフィック特性に基づく異なるリンク待ち時間および動的なシグナリングオーバーヘッドを受け入れるための柔軟性を提供する。TTIに関連付けられる動的なシグナリングオーバーヘッドは、リソース割り振り情報、変調および符号化方式(modulation and coding scheme (MCS))割り当て、等のような情報を含む。TTIがより短くなるに連れて、動的なシグナリングがより頻繁に送られる。適応的TTIにおいて、異なるTTIの長さが同じシステム内に共存する。用語「TTIの長さ」および「TTIサイズ」は交換可能に使用され得る。適応的TTIは、少ない待ち時間のハイブリッド自動再送要求(HARQ)フィードバックをサポートしながら動的なシグナリングオーバーヘッドを異なるトラフィックタイプに適応させるときに柔軟性の利益を提供するTDDシステムに組み込まれ得る。
【００１７】
１つの実例において、適応的TTIは、周波数分割複信(frequency division duplexing (FDD))において使用される。FDDにおける適応的TTIについての追加の詳細は、2012年9月12日に出願され、発明の名称を「System and Method for Adaptive Transmission Time Interval (TTI) Structure」とする米国特許出願第13/611,823号によって提供され、その出願はこれによって参照によりここに組み込まれる。
【００１８】
図１は、データを伝達するためのネットワーク100を例示する。ネットワーク100は、カバレッジエリア106を有する通信コントローラ102、UE 104およびUE 105を含む複数のユーザ装置(user equipment (UE))、およびバックホールネットワーク108を含む。２つのUEが描かれているが、より多くが存在してもよい。通信コントローラ102は、基地局、強化された基地局(eNB)、アクセスポイント、ピコセル、フェムトセル、仮想無線アクセス、UEセントリック・ノーセル(UE centric no cell)および他の無線が有効にされたデバイスのような、UE 104およびUE 105とのアップリンク(破線)および/またはダウンリンク(点線)接続を特に確立することによって無線アクセスを提供することが可能ないずれかの構成要素であり得る。UE 104およびUE 105は、携帯電話、スマートフォン、タブレット、センサ、等のような、通信コントローラ102との無線接続を確立することが可能ないずれかの構成要素であり得る。ダウンリンク通信チャネルは、データチャネル(例えば、物理ダウンリンク共有チャネル(physical downlink shared channel (PDSCH))、等)および制御チャネル(例えば、物理ダウンリンク制御チャネル(physical downlink control channel (PDCCH))、等)を搬送し得る。より具体的には、制御チャネルは、HARQ、肯定応答/否定応答(ACK/NACK)、アップリンク・グラント、等のような、様々なアップリンク制御情報をUEに搬送するアップリンク関連制御チャネルとともに、ダウンリンク制御情報をUEおよび/または中継器に搬送する、UEまたはグループ固有の制御チャネルおよび共通制御チャネルを含み得る。バックホールネットワーク108は、通信コントローラ102とリモートエンドの間でデータが交換されることを可能にするいずれかの構成要素または構成要素の集合であり得る。いくつかの実施形態において、ネットワーク100は、中継器、フェムトセル、等のような様々な他の無線デバイスを含み得る。
【００１９】
長いTTIは、TDDシステムにおいて問題のあるものであり得る。例えば、長いダウンリンクTTI、例えば5 ms、が存在するところでダウンリンク送信のためのHARQフィードバック遅延は、短いTTI、例えば0.5 ms、のそれより長い。TTI分割が使用され得る。
【００２０】
実施形態のTTIは、制御チャネル、データチャネル、および受信機が無線チャネルを推定するためのパイロットを含む。制御チャネルの実例は、リソース割り当て、スケジューリング要求、およびHARQフィードバックを含む。図２は、ダウンリンクのためのTTI分割を例示する。ダウンリンクTTIにおいて、データは、データチャネル132、制御チャネル134、およびパイロット136を含むフレーム130内の全体のTTI持続時間について符号化される。TTIは、そして、HARQフィードバック、例えばACK(A)/NACK(N)領域144のための潜在的なスロットによって分割される。データチャネルは、パイロット142およびパイロット148を有する領域138および領域146、制御チャネル140、およびA/N 144に分割される。ガード期間、例えば１つの直交周波数分割多重(orthogonal frequency division multiplexing (OFDM))シンボルは、アップリンクおよびダウンリンク送信の間の切り替えを容易にするために挿入される。TTI分割は、他の状況において適用され得る。例えば、逆方向の短いTTIが挿入され得る。送信および受信処理は、全体のTTIの長さにわたって行われる。例えば、領域138および領域146を含むダウンリンクTTIは、受信機において一緒に処理される。領域は、それら自身の制御、データ、およびパイロットチャネルを有する別々のTTIではなく、制御チャネルおよびパイロットを共有する。長いTTIからの制御チャネルオーバーヘッドの減少は維持される。
【００２１】
図３は、アップリンクのためのTTI分割を例示する。アップリンクTTIは、前のデータ送信に肯定応答するHARQフィードバックスロットによって分割される。フレーム150は、データ領域152、制御領域154、およびパイロット156を含む。TTI分割は、パイロット160および170を有する領域158および166、および制御領域162および168を生成するために行われる。A/N領域164は、領域158と領域166の間にある。
【００２２】
LTE OFDMを使用する１つの実例において、有用なシンボル持続時間は66.7 μsである。実例の回路切り替え時間は約20 μsであり、光速は3x108 m/sである。ガード期間が１つのOFDMシンボルであるとき、送信される距離は、(シンボル持続時間 - 回路切り替え時間)*(光速) = (66.7 μs - 20 μs)*3x108m/s = 14 kmであり得る。これは、無線ネットワークのために長い距離である。従って、切り替えオーバーヘッドは、LTE OFDMシンボル持続時間よりずっと小さくてよい。
【００２３】
無線ネットワークは、異なる周波数帯域における動作をサポートし得る。異なるキャリア周波数は、事業者に割り振られた周波数帯域内に存在する。他の実例において、それらは、スペクトル割り振りに依存して、異なる周波数帯域において存在し得る。図４は、帯域内および帯域間キャリアを例示する。帯域内キャリア174は、帯域172内に周波数f1,1およびf1,2を有する。帯域間キャリア周波数は、帯域172およびキャリア178を有する帯域176に及ぶ。帯域間キャリアの実例のペアはf1,2とf2,2である。
【００２４】
シングルキャリアTDDシステムにおいて、アップリンクおよびダウンリンク・トラフィックは、同じキャリア周波数において搬送される。従って、HARQフィードバックスロットは、同じキャリアにおけるTTI分割メカニズムを使用してTTI内に挿入される。
【００２５】
帯域内マルチキャリアTDDシステムにおいて、異なるTDD構成が異なるキャリアに適用されるとき、強いクロスキャリア干渉がある。図５は、通信コントローラ112および114を有するシステム110を例示する。通信コントローラ112はUE 116および118と通信し、一方、通信コントローラ114はUE 120と通信する。通信コントローラ112と通信コントローラ114の間に、そしてUE 116とUE 118の間にも、干渉があり得る。時間tでの通信コントローラ112からUE 118へのキャリアf1におけるダウンリンク送信があるとき、それは通信コントローラ114への干渉を生じる。また、時間tでのUE 116から通信コントローラ112へのキャリアf2におけるアップリンク送信は、異なるTDD構成によるものである。実例の周波数帯域は、2.1 GHz近辺および700 MHz近辺であり得る。通信コントローラ114は、f1とf2の間の無視できない帯域内干渉によるf1からの強い干渉が存在するところでf2においてアップリンク送信を受信する。同様に、UE 118においてf2からf1への干渉がある。通信コントローラに対して相対的にUEのより低い送信電力のためにアップリンクからダウンリンクへの干渉はより弱いが、すぐ近くに２つのUEがあるとき、干渉はかなりのものであり得る。従って、帯域内マルチキャリアTDDにおいて、異なるキャリアのためのTDD構成が同じであることが望ましい。f1のためにTTIに挿入されるHARQフィードバックスロットはf2に適用される。帯域内マルチキャリアの実例は、シングルキャリアの場合の拡張として見られ得る。
【００２６】
LTEのようなTDDシステムのための固定されたTTI構造において、TDDダウンリンク/アップリンク構成は、10 msの無線フレームのような時間間隔内のダウンリンクおよびアップリンクTTIの正確なパターンを定義する。同じTDD構成を異なるキャリアに適用することは、アップリンクおよびダウンリンクTTIパターンが統一されることに導く。異なるTTIの長さの共存を有する適応的TTI構造において、TDD TTIセグメントの概念が導入される。TDD TTIセグメントは、同じ送信方向(例えば、アップリンクまたはダウンリンク)の１つ以上のTTIを含む。アップリンクおよびダウンリンクTTIセグメントが異なるキャリアにわたって同じであるとき、異なるTTIの長さがセグメント内に共存する。実施形態において、TDD TTI構成は、時間間隔内のダウンリンクおよびアップリンクTTIセグメントのパターンを定義する。他の実施形態において、TDD TTI構成は、ダウンリンクおよびアップリンク適応的TTIの正確なパターンを定義する(すなわち、構成における異なるTTIの長さが定義され、単にセグメントではない)。図６は、実施形態における異なる周波数のための同じTDD TTI構成を有する適応的TTI構造における異なるTTIの長さを例示する。フレーム184は、短いおよび長いTTI区分を含む。同じTDD TTIセグメントを用いて、フレーム182は、中間のおよび長いTTI区分を含む。フレームは、3:2のアップリンクに対するダウンリンクの比を有する。ダウンリンク方向の間に、TTIの長さ(短い、中間、および長い)はf1からfNまで構成され得る。
【００２７】
フィードバックスロットは、HARQフィードバックのために一定のフィードバック遅延を提供するように構成される。構成可能なフィードバックスロットは、遅延に敏感なトラフィックのために少ない待ち時間のフィードバックを提供する。フィードバックスロットは、システムにおいて１つ以上のTTIサイズに関連付けられ、トラフィックタイプおよびサービス品質(QoS)(例えば、待ち時間要件)に依存し得る。図６に例示される実例において、フィードバックスロットは、中間のおよび短いTTIのために構成される。固定されたフィードバックタイミングは、この実例において４つのTTIである。長いTTIのために、フィードバックスロットは構成されなくてもよい。長いTTIは遅延に敏感でないトラフィックを搬送し得るので、フィードバック遅延は、この場合、TDD TTI構成に従って変わる。従って、長いTTIは、あまり厳しくないフィードバック遅延要件を許容し得る。ネットワークは、TTIの長さの集合のためにフィードバックスロットを構成し得る。フィードバック遅延タイミングも構成され得る。
【００２８】
TTIの長さおよび遅延タイミングと関連付けられたフィードバックスロットは、TDD TTI構成に基づいてネットワークによって制御され得る。フィードバックスロットからダウンリンクおよびアップリンク送信の間の切り替えのオーバーヘッドを減少させるために、フィードバックスロットの存在は、動的に、例えば無線フレーム毎に制御され得る。実例において、一貫した少ない待ち時間のフィードバックを要求するトラフィックタイプのためのデータがないとき、ネットワークは、この時間間隔(例えば、無線フレーム)の間にフィードバックスロットを無効にするようにUEにシグナリングし得る。シグナリングは、フィードバックスロット切り替えフラグ(例えば、１ビットの指示子)を用いて遂行され得る。それは、ブロードキャスト、マルチキャスト、またはユニキャストを介して制御チャネル内で送信され得る。従って、全体のフィードバックスロットは、TDD TTI構成、トラフィックタイプ、およびTTIの長さを用いて静的に/半静的に構成され、より短い時間フレームにわたる実際のトラフィックの利用可能性に基づいて動的に制御され得る。フィードバックスロットは、図６に表わされているように、すべてのTTIにある必要はない。
【００２９】
TDD TTI構成は、通信コントローラ、１つ以上の通信コントローラを制御するネットワーク内のコントローラ、またはそれらの組み合わせにおいて決定され得る。複数のTDD TTI構成は、適応的TTI TDDシステムのために定義され得る。一実施形態において、TDD TTI構成は、１つ以上の、LTEと下位互換性のあるTDD構成、および１つ以上の、適応的TTIを有するTDD TTI構成を含む。例えば、長いTTIのみを有する、TTIの長さがより長い、例えば1 msより長いTDD TTI構成。他の実施形態において、TDD TTI構成は、長いTTIを有する構成、および短いおよび長いTTIの混合を有する構成を含む。追加の実施形態において、TDD TTI構成は、アップリンクTTIのみまたはダウンリンクTTIのみを含む。
【００３０】
帯域間マルチキャリアの実例において、キャリア周波数f1およびf2は異なる帯域にある。周波数における長い分離のために、ダウンリンク・アップリンク干渉は無視できる。帯域内マルチキャリアのために使用される同じTDD TTI構成が使用され得るが、異なるTDD TTI構成も使用され得る。
【００３１】
図７は、帯域間マルチキャリアTDDシステムのための適応的TTIのための実例のフレームを例示する。すべてのキャリアにフィードバックスロットを挿入する代わりに、１つ以上のキャリアが短いTTIを用いて構成される。周波数f1におけるフレーム192は中間のおよび長いTTIを有し、周波数fNにおけるフレーム194は他のキャリアのためのフィードバック情報を搬送するために短いTTIを有する。短いTTIは、また、少ない待ち時間のトラフィックを搬送する。
【００３２】
フィードバックスロットまたは逆方向のためのTTIは、TTIに挿入され得る。１つの方向におけるTTIは、他の方向のためのTTI/フィードバックスロットの挿入によって複数のかたまりに分割され得る。送信および受信の処理は全体のTTIにわたって行われる。TTIの分割は、TTIの全体の持続時間に影響する。図８においてフレーム200によって例示された、１つの実例において、１つの方向におけるTTIの長さは、他の方向のためのTTIおよびフィードバックスロットの時間を含む。アップロードに対するダウンロードの比は8:2である。5 msの長いTTIは、挿入されたアップリンクTTIにかかわらず、5 msの実際のタイミングを有する。この実例において、送信の待ち時間は維持される。しかし、長いTTIは、アップリンクTTIの挿入から容量を失う。
【００３３】
図９においてフレーム210によって例示された、追加の実例において、１つの方向におけるTTIの長さは、他の方向におけるTTIおよびフィードバックスロットのための時間を除く。長いTTIは、アップリンクのための5 msおよびダウンリンクフィードバックのための1 msを有する、6 msの実際の時間を有する。長いTTIにおいて搬送されるデータの量は、アップリンクTTIからより多い送信の待ち時間を犠牲にして維持される。
【００３４】
他の実施形態において、異なるTDD TTI構成が異なるキャリアのために使用される。フィードバックのための専用のキャリアがないとき固定されたHARQタイミングを容易にするために、いくつかの規則が適用され得る。例えば、ダウンリンクまたはアップリンクデータのためのHARQフィードバックは、そのようなTTIが利用可能であるとき、固定された時間の後に同じまたは異なるキャリアにおいて、それぞれアップリンクまたはダウンリンクTTIにおいて送信される。どのキャリアにおいてもそのようなTTIが利用可能でないとき、HARQフィードバックは、例えば、予め定義された規則に基づいて、元のデータ送信と同じキャリアにおいて、または他のキャリアにおいてフィードバックスロットに挿入され得る。例えば、フィードバックスロットは、より良いカバレッジのために最も低い周波数キャリアに挿入される。他の実例において、フィードバックスロットは、TDD TTI構成に基づいて最小のUL/DL切り替えオーバーヘッドを有する周波数キャリアに挿入される。
【００３５】
図１０は、ダウンリンクおよびアップリンクTTIセグメントのパターンを定義するTDD TTI構成を有する通信コントローラによって行われる適応的TTIのための方法のためのフローチャート220を例示する。TDD TTI構成がダウンリンクおよびアップリンクの適応的TTIのパターンを定義するとき(すなわち、構成において異なるTTIの長さが定義され、単にセグメントではない)、TTIサイズは、TDD TTI構成定義に含まれ得る。最初に、ステップ222において、通信コントローラは、アップリンク/ダウンリンク・トラフィック比を決定する。これは、フレーム内のダウンリンク・トラフィックに対するアップリンク・トラフィックの比である。比は、UEにダウンロードされる準備ができているデータの量および/またはUEがアップロードのために有するデータの量に依存し得る。また、通信コントローラは、ダウンリンクおよび/またはアップリンクのための異なるトラフィックタイプのトラフィックQoS(例えば、待ち時間要件)を決定し得る。
【００３６】
ステップ224において、通信コントローラは、TDD TTI構成およびTTIサイズを選択する。TDD TTI構成は、異なるフレームについて異なり得る。その代わりに、TDD TTI構成は、異なるフレームについて同じである。このプロセスは順次にまたは一緒に行われることが可能である。TDD TTI構成は、アップリンクおよびダウンリンク領域が時間にわたって(例えば、無線フレームのようなTDD間隔にわたって)どのように配置されるかである、アップリンクおよびダウンリンクセグメントのパターンを定義する。特定の構成は、あるダウンリンクに対するアップリンクのトラフィックの比を示す。これは、ステップ222において決定されるアグリゲートアップリンクおよびダウンリンクのトラフィック負荷に基づき得る。例えば、TDDにおけるダウンリンクに対するアップリンクの比は、ダウンロードされるデータに対するアップロードされるデータの比にほぼ等しく設定され得る。１つの実例において、アップリンクセグメントおよびダウンリンクセグメントは、同じサイズである。TDD TTI構成の設計に影響する他の要因は、待ち時間(すなわち、送信方向を切り替える前に受ける最大の許容可能な遅延)およびUL/DL切り替えオーバーヘッドを含む。通信コントローラは、また、適切なTTIサイズを選択する。TTIサイズは、システムにおいて予め定義され得る(例えば、短い、中間の、および長いTTI)。この選択は、待ち時間要件、バッファサイズ、UEの移動性の特性、等に基づき得る。１つの実例において、ダウンリンクよりアップリンクのために多くのデータがあるとき、アップリンクセグメントはダウンリンクセグメントより大きく、アップリンクよりダウンリンクのために多くのデータがあるとき、ダウンリンクセグメントはアップリンクセグメントより大きい。TTIの長さは、また、TDD TTI構成に基づき得る。データが少ない待ち時間を要求するとき、短いTTIの長さが選択され得る。データが少ない待ち時間を要求せず、バッファが小さいとき、中間のTTIの長さが選択され得る。また、少ない待ち時間が要求されず、バッファが小さくなく、ユーザの移動性が適度から高いであるとき、中間のTTIの長さが選択され得る。しかし、少ない待ち時間が要求されず、バッファサイズが適度から大きいであり、ユーザの移動性が低いかたいへん高いかのいずれかであるとき、長いTTIの長さが選択され得る。アップリンクおよびダウンリンクデータの特性は考慮され得る。
【００３７】
適応的TTIは、シングルキャリアまたは帯域内マルチキャリアTDD動作において使用され得る。シングルキャリアまたは帯域内マルチキャリアTDDの実例において、異なるキャリアにおけるTDD TTIセグメントにおいて異なるTTIの長さが構成されて、同じTDD TTI構成が適用されてもよい。フィードバックスロットは、アップリンク/ダウンリンク切り替えオーバーヘッドに適応するために、TDD TTI構成および短期間のトラフィック特性に基づいて構成可能である。
【００３８】
他の実施形態において、適応的TTIは、帯域間マルチキャリアTDDにおいて行われる。１つ以上のキャリアは、他のキャリアのためのフィードバック情報を搬送するために短いTTIを用いて構成され得る。これらの短いTTIは、また、少ない待ち時間のトラフィックを搬送することができる。
【００３９】
そして、ステップ226において、通信コントローラは、ステップ224において選択されたTDD TTI構成、および/またはステップ224において選択されたTTIサイズのインデックスを送信する。TTIサイズは、UEが、期待するTTIサイズを知るように送信され得る。TDD TTI構成および/またはTTIサイズのインデックスは、ブロードキャスト、マルチキャスト、またはユニキャストチャネルにおいて送信され得る。構成は、トラフィック特性における変化に基づいてより高いレイヤのシグナリングにおいて半静的に送信され得る。
【００４０】
ステップ228において、通信コントローラは、フィードバックスロット構成を決定する。フィードバックスロット構成は、情報であって、その情報においてシステム内のTTIの長さがフィードバックスロットとともに構成される情報である。フィードバックスロット構成は、ステップ223において決定されるTDD TTI構成に基づく。アップリンクおよびダウンリンクTTIは、別々に構成され得る。例えば、ダウンリンクの短いTTIはフィードバックスロットとともに構成されてもよく、一方、短いアップリンクTTIスロットはフィードバックスロットとともに構成されない。フィードバックタイミング情報、例えばTTIの単位でのフィードバック遅延も決定され得る。フィードバック遅延は、TTIサイズに基づき得る。例えば、長いTTIはより長い遅延を有し得る。その代わりに、フィードバックタイミング情報は予め定義される。
【００４１】
図１１は、通信コントローラによって行われる適応的TTIのための方法のためのフローチャート233を例示する。フィードバックスロット構成は、ステップ232において送信される。フィードバックスロット構成は、半静的に送られ得る。１つの実例において、フィードバックスロット構成は、より高いレイヤのシグナリングを介して送られる。フィードバックスロット構成は、ブロードキャスト、マルチキャスト、またはユニキャストチャネルにおいて送られ得る。
【００４２】
他の実施形態において、フィードバックスロット構成は、明示的に送信されなくてもよい。例えば、フィードバックスロットタイミング情報が予め定義され、フィードバックスロットが１つ以上のTTIの長さに関連付けられるように予め構成されるとき、フィードバックスロット構成は黙示的に知られる。
【００４３】
通信コントローラは、ステップ234においてフィードバックスロット切り替えフラグを決定する。ある期間について、例えば無線フレームについてフィードバックスロットをターンオフする指示は、短期間のトラフィック特性に基づく。例えば、フィードバックスロットは、少ない待ち時間要件を有するトラフィックがないとき無効にされ、少ない待ち時間のトラフィックがあるとき有効にされ得る。
【００４４】
次に、ステップ236において、通信コントローラは、ステップ234において決定されたフィードバックスロット切り替えフラグを送信する。フィードバックスロット切り替えフラグは、フィードバックスロットの無効化または有効化を示す１ビットフラグであり得る。フィードバックスロット切り替えフラグは、ブロードキャスト、ユニキャスト、またはマルチキャストチャネルにおいて送られ得る。
【００４５】
そして、ステップ238において、通信コントローラは、UEにデータを送信し、UEからデータを受信する。TDDデータは、様々なTTIを用いて送信され、受信される。１つの実例において、フレームは、アップリンクおよびダウンリンクのために同じTTI構成を有する。その代わりに、アップリンクおよびダウンリンクフレームは、異なるTDD TTI構成を有する。異なるキャリアのために異なるTDD TTI構成があり得る。他の実例において、同じTDD TTI構成が異なるキャリアのために使用される。フレームは、図６、図７、図８、図９において例示されるもののような構造、または他のフレーム構造を有し得る。TTI分割は、フレームを構成するために使用され得る。
【００４６】
最後に、ステップ239において、通信コントローラはフィードバックスロットにおいて、フィードバックを送信し、受信する。UEは、それらがダウンリンクスロットにおいてデータの受信に成功したかどうかについてのフィードバックを提供する。また、通信コントローラは、通信コントローラがアップリンクデータの受信に成功したかどうかを示すフィードバックをUEに提供する。
【００４７】
いくつかの実施形態において、TDDフレーム構造における異なるTTI(またはサブフレーム)の長さの共存は、１つ以上の表に記載されることが可能である。実例が以下に与えられる。表において、TDDフレーム構造におけるTTIの長さの共存の異なる構成が掲載されている。各々の構成は、それにわたって、あるアップリンク/ダウンリンクの比が達成されることが可能である時間間隔におけるアップリンク(U)およびダウンリンク(D)TTIのパターンを示す。例えば、構成1は2:3のアップリンク/ダウンリンクの比を有する。構成2は1:4のアップリンク/ダウンリンクの比を有する。各々の構成は、また、ダウンリンクまたはアップリンクTTIセグメントにおいて共存することができる異なるTTIの長さを示す。例えば、構成1において、ダウンリンクセグメントは、２つのTTIの長さの共存を含む。１つのTTIの長さは、他のTTIの長さより２倍長い。より長いTTIが1 msの持続時間を有するならば、より短いTTIは0.5 msの持続時間を有する。
【００４８】
【表１】
2020043585.tif 000003
【００４９】
【表２】
2020043585.tif 000004
【００５０】
図１１ｂは、UEを構成することに関与し得るシグナリングを例示する。ステップ1101において、通信コントローラは、TTI共存構成を示すために１つ以上のUEに構成インデックスを送信することができる。オプションの、ステップ1102において、通信コントローラは、異なるTTIの長さのリソース割り振り情報(例えば、サブバンド帯域幅サイズ)を送信し得る。オプションの、ステップ1103において、通信コントローラは、また、フィードバックスロット構成情報をUEに送信することができる。フィードバックスロット構成情報は、どのTTIの長さがフィードバックスロットとともに構成されるか、TTIの単位でのフィードバック遅延のようなフィードバックスロットタイミングを含み得る。いくつかの実施形態において、フィードバックスロット構成情報の１つ以上が予め定義されてもよく、明示的なシグナリングはUEに通知することが必要とされない。
【００５１】
他の実施形態において、TTI TDD構成(すなわち、時間間隔におけるダウンリンクおよびアップリンクTTIセグメントのパターン)が１つ以上の表において定義され、インデックス付けされる。表の各列はTTIセグメントを表わす。セグメントの長さは、TTIの長さを用いて拡張可能(整数倍)である。例えば、予め定義された関係は、次のように設定されることが可能である。セグメントは１つの長いTTI(例えば1 ms)に等しい、セグメントは２つの中間のTTI(例えば0.5 ms)に等しい、セグメントは４つの短いTTI(例えば0.25 ms)に等しい。その代わりに、セグメントの長さと複数のTTIの長さの１つとの間の関係が定義されることが可能である。そして、セグメントの長さとTTIの長さの残りとの間の関係は、異なるTTIの長さの間の拡張可能な関係に基づいて導き出されることが可能である。ネットワークは、まずUEにTTI TDD構成インデックスを示すことができる。ネットワークは、そしてUEにそのTTIの長さのインデックスおよびリソース割り振り情報を示すことができる。(TTIの長さのインデックスに基づく)構成されたTTIとセグメントの関係に基づいて、UEは正確なTDDフレーム構造(例えば、アップリンクまたはダウンリンクセグメントにおけるTTIの数)を決定することができる。この場合において、UEは、TTI TDD構成およびそれ自身の構成されたTTIの長さを知る必要があるだけであり、他のUEの構成されたTTIの長さを知る必要はない。
【００５２】
【表３】
2020043585.tif 000005
【００５３】
図１１ｃは、UEを構成することに関与し得るシグナリングを例示する。ステップ1102において、通信コントローラは、アップリンク/ダウンリンクTTIセグメント構成を示すために、TDD TTI構成インデックスを１つ以上のUEに送信することができる。オプションの、ステップ1102において、通信コントローラは、インデックスの形式での構成されたTTIの長さおよびTTIの長さのリソース割り振り情報(例えば、サブバンド帯域幅サイズ)もまたUEに送信し得る。オプションの、ステップ1103において、通信コントローラは、また、フィードバックスロット構成情報をUEに送信することができる。フィードバックスロット構成情報は、どのTTIの長さがフィードバックスロットとともに構成されるか、TTIの単位でのフィードバック遅延のようなフィードバックスロットタイミングを含み得る。いくつかの実施形態において、フィードバックスロット構成情報の１つ以上が予め定義されてもよく、明示的なシグナリングはUEに通知することが必要とされない。
【００５４】
図１２は、アップリンクまたはダウンリンクチャネルにおいてデータを伝送するためにTTIの長さを選択する方法のためのフローチャート240を例示する。他の方法は、他の要因を考慮し、かつ/またはデータ送信のためのTTIを選択するために使用され得るより多くのTTIの長さの指定子を有する。最初に、ステップ242において、方法は、データが少ない待ち時間を要求するかどうかを決定する。データの待ち時間要件は、データのトラフィックタイプに従って決定され得る。例えば、ビデオおよびモバイルゲームのようないくつかのトラフィックタイプは、少ない待ち時間レベルを要求し、一方、メッセージングおよび電子メールのような他のトラフィックタイプは、あまり厳しくない待ち時間要件を有し得る。データが少ない待ち時間を要求するとき、方法はステップ250に進み、短いTTIの長さを選択する。データが適度なまたは多い待ち時間を有し得るとき、方法はステップ244に進む。
【００５５】
ステップ244において、通信コントローラは、データのためのバッファサイズが小さいかどうかを決定する。データを記憶するためのバッファサイズは伝送されるデータの量を示し得る。大量のデータが伝送されるとき、より長いTTIの長さは、オーバーヘッドを最小化することによってより高いスループットレートを提供し得る。しかし、長いTTIの長さは、少量のデータのみが伝送されるとき有用でないことがある。例えば、長いTTIを満たすために十分なデータがないとき、中間のTTIがより効率的であり得る。データが小さいバッファサイズを有するとき、方法はステップ252に進み、中間のTTIの長さを選択する。データが大きいバッファサイズを有するとき、方法はステップ246に進む。
【００５６】
方法は、ステップ246においてユーザの移動性の特性を決定する。ユーザの移動性は、低い、中間、高い、またはたいへん高いであり得る。移動性の程度は、ネットワークの状態および/または無線通信デバイスの能力に相対的であり得る。ユーザの移動性の特性は、ユーザが動いているレートに対応し得る。例えば、より高い速度のレートで動いているユーザ、例えば、自動車の中で通信しているユーザは、比較的、より低い速度で動いているユーザ、例えば、公園を通って歩いているユーザより高い移動性の特性を有する。高度な移動ユーザはより少ない移動ユーザより不安定なチャネル状態を体験するので、ユーザの移動性の特性は、無線チャネルの安定性に高度に関係付けられる。さらに、無線チャネルの安定性は、リンクアダプテーションがより高い頻度のチャネル推定機会を通して改善され得る程度に大きく影響する。すなわち、適度から高い移動性の特性を有するユーザは、より高い頻度のチャネル推定機会から生じる強化されたリンクアダプテーションのために、中間または短いTTIの長さを使用するとき、より良いビットレートを達成し得る。これらのより高いビットレートは、長いTTIの長さを節約するオーバーヘッドにまさり得るので、それらのユーザのための全体のスループットを向上させ得る。しかし、速いリンクアダプテーション能力は、静止した、または遅く移動するユーザのためにあまり利益がないことがあり、なぜならそれらのユーザは比較的チャネル状態を体験するからである。結果として、低い移動性のユーザは、中間または少ないTTIの長さから導き出されるより速いリンクアダプテーション能力よりも、長いTTIの長さの低いオーバーヘッドの特質を利用することによってより高いスループットを導き出し得る。加えて、たいへん高い移動性の特性を有するユーザ、例えば、たいへん高い速度のレートで動いているユーザは、ビットレートを改善するために十分な正確さを有するチャネル推定を行うためにチャネル状態が速過ぎて変化していることがあるので、リンクアダプテーションから、わずかの利得しか導き出せない、ないし利得を導き出すことができないことがある。従って、たいへん高い移動性のユーザは、長いTTIの長さからより高いスループットを達成し得る。ユーザが適度から高い移動性を有するとき、方法は、中間のTTIの長さを選択するためにステップ252に進む。一方、ユーザが低いまたはたいへん高い移動性を有するとき、方法はステップ248に進み、長いTTIの長さを選択する。
【００５７】
図１３は、UEによって行われる適応的TTIの方法のためのフローチャート290を例示する。最初に、ステップ292において、UEはTDD TTI構成情報を通信コントローラから受信する。TDD TTI構成情報は、アップリンクおよびダウンリンク方向のパターンを含み得る。それは、また、トラフィックタイプに基づく異なるTTIの構成を含み得る。TDD TTI構成は、より高いレイヤのシグナリングにおいて半静的にブロードキャスト、マルチキャスト、またはユニキャストチャネルにおいて受信され得る。
【００５８】
次に、ステップ294において、UEは、フィードバックスロット構成情報を通信コントローラから受信する。フィードバックスロット構成は、情報であって、その情報においてシステムにおけるTTIの長さがフィードバックスロットとともに構成される情報、およびオプションでフィードバックタイミング情報、例えばTTIの単位でのフィードバック遅延を含み得る。フィードバックスロット構成は、より高いレイヤのシグナリングにおいて半静的に受信され得る。その代わりに、UEは、そのような構成が予め定義されるとき、黙示的にフィードバックスロット構成を受信する。
【００５９】
そして、ステップ296において、UEは、フィードバックスロット切り替えフラグを通信コントローラから受信する。フィードバックスロット切り替えフラグは、フィードバックスロットがある期間について、例えば無線フレームについてターンオンされるか、またはターンオフされるかを示す。フィードバックスロット切り替えフラグは、ブロードキャスト物理チャネルを介して１ビットフラグとして受信され得る。また、フィードバックスロット切り替えフラグは、周期的に、例えば無線フレーム毎に受信され得る。
【００６０】
UEは、ステップ298において、TDD TTI間隔においてデータを送信し、受信する。TDD TTI間隔は、フレーム、複数のフレーム、または他のより大きい間隔の単位であり得る。フレームのTDD TTI構成は、ステップ292において受信されたTDD TTI構成に基づく。UEは、アップリンクセグメントにおいてデータをアップロードし、ダウンリンクセグメントにおいてデータをダウンロードする。
【００６１】
ステップ300において、UEは、TDD TTI間隔のTTIにおいてHARQフィードバックを通信コントローラに送信する。HARQフィードバックは、ステップ298において受信されたデータに基づく。データが成功して受信されたとき、ackが送信され、データが成功して受信されなかったとき、nackが送信される。HARQ ACK/NACKは、ステップ294において受信されたフィードバックスロット構成および/またはフィードバックタイミング情報に基づいて送信される。HARQ ACK/NACKは、フィードバックスロットが有効にされたことをフィードバックスロット切り替えフラグが示すときフィードバックスロットにおいて送信され、フィードバックスロットが無効にされたことをフィードバックスロット切り替えフラグが示すとき逆方向のための通常のTTIにおいて送信される。また、UEは、アップリンクデータに基づいてフィードバックを通信コントローラから受信する。
【００６２】
図１４は、ここで開示されるデバイスおよび方法を実装するために使用され得る処理システム270のブロック図を例示する。特定のデバイスは、表わされている構成要素のすべて、または構成要素の部分集合のみを利用してもよく、統合のレベルは、デバイス毎に変わってもよい。さらに、デバイスは、複数の処理ユニット、プロセッサ、メモリ、送信機、受信機、等のような構成要素の複数の事例を含み得る。処理システムは、マイクロホン、マウス、タッチスクリーン、キーパッド、キーボード、および類似のもののような１つ以上の入力デバイスが設けられた処理ユニットを含み得る。また、処理システム270は、スピーカ、プリンタ、ディスプレイ、および類似のもののような１つ以上の出力デバイスが設けられ得る。処理ユニットは、バスに接続された中央処理ユニット(central processing unit (CPU))274、メモリ276、大容量記憶デバイス278、ビデオアダプタ280、およびI/Oインタフェース288を含み得る。
【００６３】
バスは、メモリバスまたはメモリコントローラ、周辺機器バス、ビデオバス、または類似のものを含むいずれかのタイプのいくつかのバスアーキテクチャの１つ以上であり得る。CPU 274は、いずれかのタイプの電子データプロセッサを含み得る。メモリ276は、スタティック・ランダム・アクセス・メモリ(static random access memory (SRAM))、ダイナミック・ランダム・アクセス・メモリ(dynamic random access memory (DRAM))、同期DRAM(synchronous DRAM (SDRAM))、リード・オンリ・メモリ(read-only memory (ROM))、それらの組み合わせ、または類似のもののようないずれかのタイプの非一時的システムメモリを含み得る。実施形態において、メモリは、ブートアップにおける使用のためのROM、プログラムを実行する間の使用のためのプログラムおよびデータ記憶のためのDRAMを含み得る。
【００６４】
大容量記憶デバイス278は、データ、プログラム、および他の情報を記憶し、バスを介してデータ、プログラム、および他の情報をアクセス可能にするように構成されたいずれかのタイプの非一時的記憶デバイスを含み得る。大容量記憶デバイス278は、例えば、ソリッド・ステート・ドライブ、ハードディスクドライブ、磁気ディスクドライブ、光ディスクドライブ、または類似のものの１つ以上を含み得る。
【００６５】
ビデオアダプタ280およびI/Oインタフェース288は、外部の入力および出力デバイスを処理ユニットに結合するためにインタフェースを提供する。例示されるように、入力および出力デバイスの実例は、ビデオアダプタに結合されたディスプレイおよびI/Oインタフェースに結合されたマウス/キーボード/プリンタを含む。他のデバイスは、処理ユニットに結合されてもよく、追加のまたはより少ないインタフェースカードが利用されてもよい。例えば、(図示されない)シリアルインタフェースカードがプリンタのためのシリアルインタフェースを提供するために使用され得る。
【００６６】
処理ユニットは、また、イーサネット(登録商標)ケーブルまたは類似のもののような有線リンク、および/またはアクセスノードまたは異なるネットワークへの無線リンクを含み得る１つ以上のネットワークインタフェース284を含む。ネットワークインタフェース284は、処理ユニットがネットワークを介してリモートユニットと通信することを可能にする。例えば、ネットワークインタフェースは、１つ以上の送信機/送信アンテナおよび１つ以上の受信機/受信アンテナを介して無線通信を提供し得る。実施形態において、処理ユニットは、データ処理、および他の処理ユニット、インターネット、リモート記憶設備、または類似のもののようなリモートデバイスとの通信のためにローカルエリアネットワークまたは広域ネットワークに結合される。
【００６７】
本開示においていくつかの実施形態が開示されたが、開示されたシステムおよび方法は、本開示の思想および範囲から逸脱せずに他の多くの特定の形式で具現化され得ることが理解されるべきである。本実例は、例示的であり限定的でないと考えられるべきであり、意図はここに与えられた詳細に限定されない。例えば、様々な要素または構成要素は、他のシステムに組み合わされ、または統合されてもよく、またはある特徴は、省略され、または実装されなくてもよい。
【００６８】
一実施形態は、適応的送信時間間隔(TTI)のための方法であって、通信コントローラにより、第１のTDD間隔の第１のTDD TTI構成および前記第１のTDD間隔の第２のTDD TTI構成のセグメントをユーザ装置(UE)に送信するステップであって、前記第１のTDD TTI構成は第１のパターンを有し、前記第２のTDD TTI構成は第２のパターンを有し、前記第１のパターンは前記第２のパターンとは異なり、前記第１のTDD TTI構成は第１のアップリンクTTIセグメントおよび第１のダウンリンクTTIセグメントを有し、前記第２のTDD TTI構成は第２のアップリンクTTIセグメントおよび第２のダウンリンクTTIセグメントを有し、前記第１のダウンリンクTTIセグメントは第１のTTIサイズを有し、前記第１のアップリンクTTIセグメントは第２のTTIサイズを有する、ステップと、前記通信コントローラにより、前記第１のTDD間隔の前記第１のTDD TTI構成の前記第１のダウンリンクTTIセグメント内の第１のTTIにおいて第１の複数のデータを前記UEに送信するステップと、前記通信コントローラにより、前記第１のTDD間隔の前記第１のTDD TTI構成の前記第１のアップリンクセグメントにおいて第２の複数のデータを前記UEから受信するステップと、を含む方法を開示する。
【００６９】
上記実施形態の１つのオプション、前記通信コントローラにより、前記第１のTDD TTI構成を前記UEに送信する前に、前記通信コントローラにより、前記第１のTDD間隔の前記第１のTDD TTI構成を決定するステップをさらに含む。
【００７０】
上記実施形態の１つのオプション、前記第１のTDD間隔の前記第１のTDD TTI構成を決定するステップは、前記第１のTDD間隔の前記第１のTDD TTI構成に従って前記第１のダウンリンクTTIセグメントの前記第１のTTIサイズを決定するステップを含む。
【００７１】
上記実施形態の１つのオプション、前記第１のダウンリンクセグメントの前記第１のTTIサイズを決定するステップは、前記第１の複数のデータの待ち時間要件、前記第１の複数のデータのバッファサイズ、またはUEの移動性に従って前記第１のTTIサイズを決定するステップを含む。
【００７２】
上記実施形態の１つのオプション、前記第１のTDD TTI構成に従って前記第１のTDD間隔のためのフィードバックスロット構成を決定するステップをさらに含む。
【００７３】
上記実施形態の１つのオプション、前記通信コントローラにより、前記第１のTDD間隔のための前記フィードバックスロット構成を前記UEに送信するステップをさらに含む。
【００７４】
上記実施形態の１つのオプション、前記第１の複数のデータに従って前記フィードバックスロット構成のフィードバック遅延を決定するステップをさらに含む。
【００７５】
上記実施形態の１つのオプション、フィードバックスロット切り替えフラグを決定するステップと、前記通信コントローラにより、前記フィードバックスロット切り替えフラグを前記UEに送信するステップと、をさらに含む。
【００７６】
上記実施形態の１つのオプション、前記第１のTDD TTI構成を決定するステップは、TTIを分割するステップを含む。
【００７７】
上記実施形態の１つのオプション、TTIを分割するステップは、第１のTTIにわたる前記第１の複数のデータを符号化して符号化されたTTIを生成するステップであって、前記符号化されたTTIは前記第１の複数のデータを含む、ステップと、前記第１のTDD TTI構成に従って前記符号化されたTTIにフィードバックスロットを挿入して前記第１のTDD間隔を生成するステップと、を含む。
【００７８】
上記実施形態の１つのオプション、第２のTDD間隔の第３のTDD TTI構成を決定するステップであって、前記第２のTDD TTI構成は第２のアップリンクセグメントおよび第２のダウンリンクセグメントを含む、ステップと、前記通信コントローラにより、第２のTDD TTI構成の第２のTDD TTI構成を前記UEに送信するステップと、前記通信コントローラにより、前記第２のTDD間隔の前記第２のダウンリンクセグメントにおいて第３の複数のデータを前記UEに送信するステップと、前記通信コントローラにより、前記第２のTDD間隔の前記第２のアップリンクセグメントにおいて第４の複数のデータを前記UEから受信するステップと、をさらに含む。
【００７９】
上記実施形態の１つのオプション、前記第１のTDD TTI構成は前記第３のTDD TTI構成と同じである。
【００８０】
上記実施形態の１つのオプション、前記第１のTDD TTI構成は前記第３のTDD TTI構成とは異なる。
【００８１】
他の実施形態は、適応的送信時間間隔(TTI)のための方法であって、ユーザ装置(UE)により、第１のTDD間隔のための第１のTDD TTI構成を通信コントローラから受信するステップであって、前記第１のTDD間隔は、第１のアップリンクセグメント、第１のダウンリンクセグメント、および第１のTTIを含み、前記第１のダウンリンクセグメントは第１のTTIサイズおよび第２のTTIサイズを有し、前記第１のTTIサイズは前記第２のTTIサイズに等しくない、ステップと、前記UEにより、前記第１のアップリンクセグメントにおいて第１の複数のデータを前記通信コントローラに送信するステップと、前記UEにより、前記第１のダウンリンクセグメントの前記第１のTTIにおいて第２の複数のデータを前記通信コントローラから受信するステップと、を含む方法を提供する。
【００８２】
上記実施形態の１つのオプション、前記第２の複数のデータに従って第１のフィードバック遅延を決定するステップと、前記UEにより、前記第１のフィードバック遅延に従ってフィードバックを前記通信コントローラに送信するステップと、をさらに含む。
【００８３】
上記実施形態の１つのオプション、前記第１のTDD間隔のためのフィードバックスロット構成を受信するステップをさらに含み、前記フィードバックを送信するステップは、前記フィードバックスロット構成に従って前記フィードバックを送信するステップを含む。
【００８４】
上記実施形態の１つのオプション、前記UEにより、前記フィードバックスロット構成のフィードバック遅延を前記通信コントローラから受信するステップをさらに含み、前記第１のフィードバック遅延を送信するステップは、前記フィードバック遅延に従って前記第１のフィードバック遅延を送信するステップを含む。
【００８５】
上記実施形態の１つのオプション、前記UEにより、フィードバックスロット切り替えフラグを前記通信コントローラから受信するステップをさらに含み、前記フィードバックを送信するステップは、前記フィードバックスロット切り替えフラグに従って前記フィードバックを送信するステップを含む。
【００８６】
上記実施形態の１つのオプション、前記第１のTTIにわたって前記第１の複数のデータを符号化して符号化されたTTIを生成するステップであって、前記符号化されたTTIは、前記第１の複数のデータを含む、ステップと、前記第１のTDD TTI構成に従って前記符号化されたTTIにフィードバックスロットを挿入して前記第１のTDD間隔を生成するステップと、をさらに含む。
【００８７】
上記実施形態の１つのオプション、前記UEにより、第２のTDD間隔のための第３のTDD TTI構成を前記通信コントローラから受信するステップであって、前記第３のTDD TTI構成は、第２のアップリンクセグメント、第２のダウンリンクセグメント、および第２のTTIを含み、前記UEにより、前記第２のアップリンクセグメントにおいて第３の複数のデータを前記通信コントローラに送信するステップと、前記UEにより、前記第２のダウンリンクセグメントにおいて第４の複数のデータを前記通信コントローラから受信するステップと、をさらに含む。
【００８８】
他の実施形態は、通信コントローラであって、プロセッサと、前記プロセッサによる実行のためのプログラミングを記憶する非一時的コンピュータ読み取り可能な記憶媒体と、を含み、前記プログラミングは、第１のTDD間隔の第１のTDD TTI構成および前記第１のTDD間隔の第２のTDD TTI構成のセグメントをユーザ装置(UE)に送信するための命令であって、前記第１のTDD TTI構成は第１のパターンを有し、前記第２のTDD TTI構成は第２のパターンを有し、前記第１のパターンは前記第２のパターンとは異なり、前記第１のTDD TTI構成は第１のアップリンクTTIセグメントおよび第１のダウンリンクTTIセグメントを有し、前記第２のTDD TTI構成は第２のアップリンクTTIセグメントおよび第２のダウンリンクTTIセグメントを有し、前記第１のダウンリンクTTIセグメントは第１のTTIサイズを有し、前記第１のアップリンクTTIセグメントは第２のTTIサイズを有する、命令と、前記第１のTDD間隔の前記第１のTDD TTI構成の前記第１のダウンリンクTTIセグメント内の第１のTTIにおいて第１の複数のデータを前記UEに送信するための命令と、前記通信コントローラにより、前記第１のTDD間隔の前記第１のTDD TTI構成の前記第１のアップリンクセグメントにおいて第２の複数のデータを前記UEから受信するための命令と、を含む通信コントローラを提供する。
【００８９】
他の実施形態は、ユーザ装置(UE)であって、プロセッサと、前記プロセッサによる実行のためのプログラミングを記憶する非一時的コンピュータ読み取り可能な記憶媒体と、を含み、前記プログラミングは、第１のTDD間隔のための第１のTDD TTI構成を通信コントローラから受信するための命令であって、前記第１のTDD間隔は、第１のアップリンクセグメント、第１のダウンリンクセグメント、および第１のTTIを含み、前記第１のダウンリンクセグメントは第１のTTIサイズおよび第２のTTIサイズを有し、前記第１のTTIサイズは前記第２のTTIサイズに等しくない、命令と、前記UEにより、前記第１のアップリンクセグメントにおいて第１の複数のデータを前記通信コントローラに送信するための命令と、前記UEにより、前記第１のダウンリンクセグメントの前記第１のTTIにおいて第２の複数のデータを前記通信コントローラから受信するための命令と、を含むUEを提供する。
【００９０】
加えて、様々な実施形態において別々のものまたは分離したものとして記載され、例示された技術、システム、サブシステム、および方法は、本開示の範囲から逸脱せずに、他のシステム、モジュール、技術、または方法と組み合わされ、または統合されてもよい。結合され、または直接に結合され、または互いと通信するものとして表わされ、または論じられた他の事項は、電気的であろうと、機械的であろうと、またはそれ以外であろうと、間接に結合され、またはいくつかのインタフェース、デバイス、または中間の構成要素を通して通信し得る。変更、代替、および改変の他の実例は、この技術分野の当業者によって確認可能であり、ここに開示された思想および範囲から逸脱せずに行われることが可能である。
【符号の説明】
【００９１】
100  ネットワーク
102  通信コントローラ
104、105  UE
106  カバレッジエリア
108  バックホールネットワーク
110  システム
112、114  通信コントローラ
116、118、120  UE
【図１】
2020043585.tif 000006
【図２】
2020043585.tif 000007
【図３】
2020043585.tif 000008
【図４】
2020043585.tif 000009
【図５】
2020043585.tif 000010
【図６】
2020043585.tif 000011
【図７】
2020043585.tif 000012
【図８】
2020043585.tif 000013
【図９】
2020043585.tif 000014
【図１０】
2020043585.tif 000015
【図１１】
2020043585.tif 000016
【図１１ｂ】
2020043585.tif 000017
【図１１ｃ】
2020043585.tif 000018
【図１２】
2020043585.tif 000019
【図１３】
2020043585.tif 000020
【図１４】
2020043585.tif 000021
【外国語明細書】
2020043585000001.pdf